(57)【要約】【課題】ユーザの就寝時等に暗くなる環境において、映像や音声出力の特性を自動的に調整することにより、就寝時の環境において画質や音声の最適な出力特性により映像コンテンツを視聴できるようにする。【解決手段】映像表示装置は、就寝時の寝室環境に好適な寝室モードを有する。この寝室モードでは、映像表示装置のバックライトの発光輝度レベル調整に関する設定値、色温度やシャープネスなどの画質に関する設定値、高音や低音の出特性を定める設定値、あるいはサラウンド機能のＯＮ／ＯＦＦなどの音量に関する設定値などのパラメータについて、標準モードの設定とは異なり、就寝時の寝室環境に好適な値とした専用設定を持っている。そして、ユーザは、リモコンなどの操作入力手段を使用して、寝室モードを適宜選択することができる。【選択図】図２
2010068260.tif 000002
【特許請求の範囲】
【請求項１】
液晶パネルと、該液晶パネルを照明するバックライトとを備えた映像表示装置であって、該映像表示装置周囲の明るさを検出する明るさ検出手段と、
該明るさ検出手段による明るさの検出結果に従って前記バックライトの発光輝度を制御する制御手段を備えた映像表示装置において、
該映像表示装置は、該映像表示装置の動作モードとして、寝室の環境に適用する寝室モードと、標準環境に適用する標準モードを有し、前記映像表示装置により出力する映像ないし音声の出力特性の設定値が前記動作モードに応じて予め設定され、
前記制御手段は、前記装置が前記寝室モードに設定されているとき、前記明るさ検出手段により検出された明るさのレベルが所定レベル以上に明るい状態から該所定レベルより暗い状態に移行した際に、前記標準モードに応じて設定された設定値を前記寝室モードに応じて設定された設定値に切り替えて映像及び音声の出力を行い、
前記寝室モードに応じて設定された設定値は、少なくとも、前記明るさ検出手段による明るさの検出結果に従って前記バックライトの発光輝度を変化させるように設定されていることを特徴とする映像表示装置。
【請求項２】
請求項１に記載の映像表示装置において、前記寝室モードに応じて設定された設定値は、前記標準モードよりも画像の色温度が低く、画像の輪郭を強調する処理であるシャープネスの度合いが前記標準モードよりも高くなる設定値であることを特徴とする映像表示装置。
【請求項３】
請求項１または２に記載の映像表示装置において、前記寝室モードに応じて設定された設定値は、前記標準モードよりも音声の高音域の出力の度合いが低く、前記標準モードよりも音声の低音域の出力の度合いが高く、かつサラウンド機能を有効にして音声が出力される設定であることを特徴とする映像表示装置。
【請求項４】
請求項１〜３のいずれか１に記載の映像表示装置において、前記寝室モードに応じて設定された設定値で映像及び音声を出力させているときに、前記明るさ検出手段により検出された明るさのレベルが、前記所定レベルより高い第２の所定レベル以上に移行した際に、前記寝室モードに応じて設定された設定値を前記標準モードに応じて設定された設定値に切り替えて映像及び音声の出力を行うことを特徴とする映像表示装置。
【請求項５】
請求項１〜４のいずれか１に記載の映像表示装置において、該映像表示装置は、該映像表示の所定の機能の状態を表示するためのインジケータを有し、前記制御手段は、前記寝室モードにおいて、前記標準モードに応じて設定された設定値を前記寝室モードに応じて設定された設定値に切り替えた際に、前記インジケータの発光輝度を前記標準モード時の発光輝度よりも低下させることを特徴とする映像表示装置。
【請求項６】
請求項１〜５のいずれか１に記載の映像表示装置において、該映像表示装置は、所定時間経過後に該映像表示の電源をオフにするオフタイマー設定手段を有し、前記制御手段は、前記寝室モードにおいて、前記標準モードに応じて設定された設定値を前記寝室モードに応じて設定された設定値に切り替えた際に、前記オフタイマー設定手段を制御して、前記電源をオフにするまでの時間計測を開始させることを特徴とする映像表示装置。
【請求項７】
請求項１〜６のいずれか１に記載の映像表示装置において、該映像表示装置は、前記液晶パネルに表示させる映像信号に対してＯＳＤ信号を重畳して表示させるＯＳＤ表示手段を有し、前記制御手段は、前記寝室モードにおいて、前記標準モードに応じて設定された設定値を前記寝室モードに応じて設定された設定値に切り替えた際、前記ＯＳＤ表示手段を制御して、前記ＯＳＤ信号により表示させる文字の大きさを、前記標準モードのときの文字の大きさよりも大きくするように制御することを特徴とする映像表示装置。
【発明の詳細な説明】
【技術分野】
【０００１】
本発明は、映像表示装置、より詳細には、画質や音声の出力特性が異なる複数の動作モードを有する映像表示装置に関する。
【背景技術】
【０００２】
映像表示装置として液晶テレビが普及しているが、近年の液晶テレビでは、特に高輝度、高画質、高精細、高音質化が進んでいる。これにより、ユーザは、より高画質で高音質の映像コンテンツを楽しむことができる。
このような液晶テレビでは、液晶テレビ周囲の明るさ等に従って、液晶テレビの表示画面の明るさや画質、音量などを制御するようにしたものがある。
【０００３】
例えば、周囲の明るさに応じた最適な表示特性を実現するために、液晶テレビ周囲の明るさを検出するセンサを設け、そのセンサによる検出結果に応じて表示画面の明るさ、コントラスト、γ補正値等を設定するようにした技術が知られている。
また、就寝時等に使用するオフタイマー機能を備えた液晶テレビでは、オフタイマーを設定したときに表示画面を消したり、オフタイマー設定時に画面の明るさや音量を調整する技術が知られている。あるいは、液晶テレビの周囲の照明環境に従って、映像データを補正して最適な画質を得るようにしたものもある。
【０００４】
例えば、特許文献１には、周囲の明るさに応じた表示画面の設定変更を、映像信号の種類に応じて行うようにした映像表示装置が開示されている。この映像表示装置は、映像を表示する表示部の照度を検出する照度検出手段と、特定の種類の映像信号を判別する信号判別手段と、特定の映像信号が入力された場合に、検出された照度に基づき、映像信号のγ補正特性を制御する表示特性制御手段とを備えている。
【０００５】
また、特許文献２には、オフタイマーを設定すると、テレビ画面の明るさと音量を使用者が予め記憶させておいた状態に設定し、オフタイマー設定時間にテレビ電源をオフするテレビ受像機が開示されている。このテレビ受像機では、入力手段を介して入力されたオフタイマー設定時間は制御手段に設定される。そして、オフタイマーが設定されると制御手段は、使用者が予め記憶させておいた好適な画面の明るさと音量の状態を記憶手段から読み込み、画面明るさ制御手段と音量制御手段がその状態に設定する。また、オフタイマー設定時間になったかどうかを制御手段が判断し、設定時間になった場合は電源制御手段がテレビ受像機への電源供給を停止するようにしている。
【０００６】
さらに特許文献３には、映像補正制御装置に関し、特に映像表示器機周辺の色信号を検出し、それによって感知された照明環境及び照明環境の変化に従って、映像データを自動に補正して最適な視聴の際の画質を確保し得る色温度判断装置及び照明光の分類方法が開示されている。色温度判断装置は、色信号を感知する色感知手段と、感知された色信号の出力比に対応する照明光の分類データ及び照明光の色温度データを記憶する記憶手段と、色感知手段から出力した色信号の成分比を判断して記憶手段から照明光データを読み出す照明光判断手段と、照明光判断の結果に従って照明光の色温度を決定する照明光の色温度決定手段とを備えている。
【特許文献１】特開２００６−２２７３３２号公報
【特許文献２】特開２００４−２３６２６８号公報
【特許文献３】特開２００２−３２３３８２号公報
【発明の開示】
【発明が解決しようとする課題】
【０００７】
上記のように、液晶テレビのような映像表示装置において、高輝度、高画質、高精細、及び高音質化などが顕著になってくると、ユーザにとっては、明るく高画質で高音質の映像コンテンツを視聴することができるようになるが、液晶テレビを視聴するシチュエーションによっては、高輝度や高音質等の特性が視聴にとって却って不快に感じられることがある。
【０００８】
例えば、ユーザが寝室で眠りにつく前に液晶テレビを視聴する際に、高輝度で眩しい映像や大音響の音声による映像コンテンツを通常視聴したいとは思わないものである。また、ユーザが寝室で眠りにつくときには一般に部屋が暗く、液晶テレビの電源インジケータなどの各種インジケータＬＥＤの発光が強調されてしまい、これらのインジケータＬＥＤが明るすぎて違和感を感じることもある。
【０００９】
また、近年の液晶テレビなどの映像表示装置では、画面の輝度や画質、音量や音質などの出力特性について各種の調整値を設定可能であるが、これら各種の調整値をユーザのシチュエーションに応じてその都度設定し直すのは非常に面倒である。また、映像表示装置に各種のセンサや設定機能を設けることにより、シチュエーションに応じた調整を自動的に行うようにすることも考えられるが、映像表示装置が高価になるばかりでなく、ユーザの操作が複雑化するという問題も生じる。
【００１０】
上記の特許文献１では、就寝時の寝室等における調整を意図したものでなく、ソース等に応じた最適設定を意図しているため、就寝時のシチュエーションに必ずしも対応するものではなく、場合によっては映像や音声出力が却って煩しくなる、という問題が生じる。
また、特許文献２のテレビ受像機は、オフタイマーの起動をトリガーとして、テレビ受像機の映像・音声を所定のレベルに変更させるものであるが、就寝時等に暗くなる部屋の明るさをトリガーとして、自動的に画質や音質を調整できるものではない。また、オフタイマーの設定後に変更する設定値は、明るさと音量に関する設定値のみであり、色温度やシャープネスなどの画質に関する設定値や、低音や高音あるいはサラウンドＯＮ／ＯＦＦなどの音質に関する設定値については何ら言及していない。さらに、特許文献２では、インジケータＬＥＤの発光輝度の調整等については記載されていない。
【００１１】
また、特許文献３では、装置の周囲の照明環境を検出して、それによって照明光の色温度を決定することで、映像データを自動的に補正し、視聴の際の最適な画質を得るようにしているが、環境に応じて音量や音質を変更することはない。また、インジケータＬＥＤの発光輝度の調整等については記載されていない。
【００１２】
本発明は、上述のごとき実情に鑑みてなされたものであって、ユーザの就寝時等に暗くなる環境において、映像や音声出力の特性を自動的に調整することにより、就寝時の環境において画質や音声の最適な出力特性により映像コンテンツを視聴できるようにした映像表示装置を提供することを目的とする。
【課題を解決するための手段】
【００１３】
上記課題を解決するために、本発明の第１の技術手段は、液晶パネルと、液晶パネルを照明するバックライトとを備えた映像表示装置であって、映像表示装置周囲の明るさを検出する明るさ検出手段と、明るさ検出手段による明るさの検出結果に従ってバックライトの発光輝度を制御する制御手段を備えた映像表示装置において、映像表示装置は、映像表示装置の動作モードとして、寝室の環境に適用する寝室モードと、標準環境に適用する標準モードを有し、映像表示装置により出力する映像ないし音声の出力特性の設定値が動作モードに応じて予め設定され、制御手段は、装置が寝室モードに設定されているとき、明るさ検出手段により検出された明るさのレベルが所定レベル以上に明るい状態から所定レベルより暗い状態に移行した際に、標準モードに応じて設定された設定値を寝室モードに応じて設定された設定値に切り替えて映像及び音声の出力を行い、寝室モードに応じて設定された設定値は、少なくとも、明るさ検出手段による明るさの検出結果に従ってバックライトの発光輝度を変化させるように設定されていることを特徴としたものである。
【００１４】
第２の技術手段は、第１の技術手段において、寝室モードに応じて設定された設定値は、標準モードよりも画像の色温度が低く、画像の輪郭を強調する処理であるシャープネスの度合いが標準モードよりも高くなる設定値であることを特徴としたものである。
【００１５】
第３の技術手段は、第１または２の技術手段において、寝室モードに応じて設定された設定値は、標準モードよりも音声の高音域の出力の度合いが低く、標準モードよりも音声の低音域の出力の度合いが高く、かつサラウンド機能を有効にして音声が出力される設定であることを特徴としたものである。
【００１６】
第４の技術手段は、第１〜３のいずれかの技術手段において、寝室モードに応じて設定された設定値で映像及び音声を出力させているときに、明るさ検出手段により検出された明るさのレベルが、所定レベルより高い第２の所定レベル以上に移行した際に、寝室モードに応じて設定された設定値を標準モードに応じて設定された設定値に切り替えて映像及び音声の出力を行うことを特徴としたものである。
【００１７】
第５の技術手段は、第１〜４のいずれかの技術手段において、映像表示装置は、映像表示の所定の機能の状態を表示するためのインジケータを有し、制御手段は、寝室モードにおいて、標準モードに応じて設定された設定値を寝室モードに応じて設定された設定値に切り替えた際に、インジケータの発光輝度を標準モード時の発光輝度よりも低下させることを特徴としたものである。
【００１８】
第６の技術手段は、第１〜５のいずれかの技術手段において、映像表示装置は、所定時間経過後に映像表示の電源をオフにするオフタイマー設定手段を有し、制御手段は、寝室モードにおいて、標準モードに応じて設定された設定値を寝室モードに応じて設定された設定値に切り替えた際に、オフタイマー設定手段を制御して、電源をオフにするまでの時間計測を開始させることを特徴としたものである。
【００１９】
第７の技術手段は、第１〜６のいずれかの技術手段において、映像表示装置は、液晶パネルに表示させる映像信号に対してＯＳＤ信号を重畳して表示させるＯＳＤ表示手段を有し、制御手段は、寝室モードにおいて、標準モードに応じて設定された設定値を寝室モードに応じて設定された設定値に切り替えた際、ＯＳＤ表示手段を制御して、ＯＳＤ信号により表示させる文字の大きさを、標準モードのときの文字の大きさよりも大きくするように制御することを特徴としたものである。
【発明の効果】
【００２０】
本発明によれば、ユーザの就寝時等に暗くなる環境において、映像や音声出力の特性を自動的に調整することにより、就寝時の環境において画質や音声の最適な出力特性により映像コンテンツを視聴できるようにした映像表示装置を提供することができる。
また、本発明によれば、映像表示装置が就寝等に最適な寝室モードに設定されていても、明るい環境にあるときには、ユーザが設定を変更することなく本来の高輝度、高画質、高音質の迫力ある状態で映像コンテンツを視聴することができる。
【発明を実施するための最良の形態】
【００２１】
（映像表示装置の構成例の説明）
図１は、本発明の映像表示装置の構成例を示すブロック図で、デジタルチューナを備えた液晶テレビに本発明の映像表示装置を適用した例を示すものである。
液晶テレビにおいて、アンテナ１１０で受信したデジタル放送の受信信号は、チューナ部１０１で選局され、復調部１０２で復調される。復調されたデジタル放送信号のうちの映像信号は映像デコーダ１０４でデコードされ、音声信号は音声デコーダ１０８にてデコードされる。
【００２２】
映像デコーダ１０４でデコードされた映像信号は、画質補正部１０５にて画質補正が行われ、ディスプレイ表示部１０７で表示される。上記の画像補整部１０５では、デコードされた映像信号を処理し、ディスプレイ表示部１０７に表示するための映像信号を出力する。ここでは入力された映像信号のフォーマットに応じて必要な映像処理（例えば、色空間変換処理、ＩＰ変換処理、スケーリング処理、ＦＲＣ処理、γ補正処理、色補正処理、同期検出処理など）が施される。
【００２３】
ディスプレイ表示部１０７は、液晶パネルとバックライトとを備えたもので、画質補正部１０５から出力された映像信号に基づいて、映像表示を行う。バックライト制御部１１２は、マイコン１１６の指示に従って、ディスプレイ表示部１０７のバックライトの明るさを制御する。
【００２４】
ＯＳＤ（on screen display）制御部１０３は、マイコン１１６によるＯＳＤ信号の生成指示に基づいて、ディスプレイ表示部１０７に表示させるＯＳＤ信号を生成する制御を行う。また、受信した放送チャンネルの放送信号に含まれるデータ信号のＯＳＤ情報に従ってＯＳＤ信号を生成する制御を行う。ＯＳＤ信号により表示される情報としては、例えば、各種設定用のメニュー、ＥＰＧ（Electronic Program Guide）、ＣＨ（チャンネル）コールなどがある。
また、音声デコーダ１０８でデコードされた音声信号は、音質補正部１０９にて音質補正が行われ、Ｄ／Ａ変換部１１０でＤ／Ａ変換され、スピーカー１１１によって音声出力される。
【００２５】
マイコン１１６は、液晶テレビの各部を制御する制御手段である。またＲＯＭ及びＲＡＭ（ＲＯＭ／ＲＡＭ）１１７が備えられ、各種データやプログラムが保持されるとともに、プログラム実行時のワークエリアとして使用される。
本発明に関わる寝室モードの設定処理、ＯＰＣ（Optical Picture Control）センサ１１５の検出結果に基づく映像・音声の設定値の切り替え処理、また切り替えた設定値に基づく映像・音声の出力特性の制御処理、バックライト制御部の制御処理、インジケータＬＥＤの発光輝度を変化させるインジケータ制御部１１４の制御処理、オフタイマー設定処理、ＯＳＤ制御部１０３の制御処理等は、不揮発メモリもしくは他の記憶手段に記憶させたプログラムやデータを使用してマイコン１１６が主に実行する。
【００２６】
ＯＰＣセンサ１１５は、液晶テレビの周囲の明るさを検出するセンサである。ＯＰＣセンサ１１５の出力とバックライトとを連動させるモードにおいて、マイコン１１６は、ＯＰＣセンサ１１５により検出した明るさ検出結果に応じて、バックライト制御部１１２を制御してバックライトの発光輝度を変化させる。また、マイコン１１６は、入力した映像信号のＡＰＬ（Average Picture Level）などの映像特徴量に応じてバックライトの明るさを変換させるような制御を行ってもよい。
【００２７】
インジケータＬＥＤ（Light Emitting Diode）制御部１１４は、液晶テレビにインジケータとして設けられるＬＥＤの発光を制御する。ＲＴＣ（real-time clock）１１８は、液晶テレビの電源が切られていても現在時刻を刻み続ける時計である。
【００２８】
上記のような構成において、ＯＰＣセンサ１１５及びマイコン１１６により本発明の明るさ検出手段が実現され、ＲＴＣ１１８及びマイコン１１６により本発明のオフタイマー設定手段が実現される。また、マイコン１１６とＯＳＤ制御部１０３、及び画質補正部１０５〜ディスプレイ表示部１０７により本発明のＯＳＤ表示手段が実現される。
【００２９】
（映像表示装置の動作概要）
本発明に係る映像表示装置の一実施形態は、上記図１に示すような構成を備えた液晶テレビとして構成される。この液晶テレビでは、映像・音声の出力特性をユーザ所望の状態に設定することができる。ユーザが音声・映像の出力特性を設定する場合、液晶テレビに予め用意された複数の出力モードから任意の出力モードを選択する手法をとることができる。この出力モードでは、液晶テレビの使用状態や入力信号に応じた画質・音質の出力特性の設定値がプリセットされていて、ユーザは、使用状態に合わせて最適な画質や音質の出力モードを選択することができる。この出力モードは、ＡＶポジションなどと呼ばれており、以下の説明ではこれらのプリセットされた複数の出力モードをＡＶポジションとして説明する。
【００３０】
本実施形態の液晶テレビでは、上記ＡＶポジションとして、就寝時の寝室環境に好適な寝室モードを設定することを特徴としている。そしてこの寝室モードでは、液晶テレビのバックライトの光量（発光輝度レベル）調整に関する設定値、色温度やシャープネスなどの画質に関する設定値、高音や低音の出特性を定める設定値、あるいはサラウンド機能のＯＮ／ＯＦＦなどの音量に関する設定値などを就寝時の寝室環境に好適な値とした専用設定を持っている。そして、ユーザは、リモコンなどの操作入力手段を使用して、寝室モードを適宜選択して液晶テレビに設定することができる。
【００３１】
寝室モードでは、ＯＰＣセンサ１１５による周囲の明るさの検出結果に基づいて、ユーザの就寝時等暗くなる環境において、映像や音声出力の特性を自動的に調整することにより、就寝時の環境において最適な画質や音声で映像コンテンツを視聴できるようにしている。また、液晶テレビが寝室モードに設定されていても、明るい環境にあるときには、ユーザが設定を変更することなく通常モードにより本来の高輝度、高画質、高音質の迫力ある状態で映像コンテンツを視聴することができるようになっている。
【００３２】
つまり、本実施形態の液晶テレビでは、周囲が所定レベルより暗い場合には、寝室モードの専用設定値を用いて、映像・音声の出力特性を制御し、周囲が所定レベル以上に明るい場合には、標準モードによる高画質・高音質の出力特性を発揮させる制御を行う。寝室モードにおけるこれらの切り替えは、所定の明るさレベル（閾値）によって判別され、いずれかの設定値を用いて出力特性が制御される。この所定のレベルはユーザによる設定変更が可能である。
【００３３】
このときに、寝室モードにおいて、標準モードの設定値から寝室モードの専用設定値に切り替えるときの明るさのレベルに対して、寝室モードの専用設定値から標準モードの設定値に切り替えるときの明るさのレベルにヒステリシスを持たせるようにする。つまり、標準モードの設定値から寝室モードの専用設定値に切り替えるときの明るさレベル（第１の所定レベル）と、寝室モードの専用設定値から標準モードの設定値に切り替えるときの明るさレベル（第２の所定レベル）とを異ならせ、第２の所定レベルを第１の所定レベルよりも高くする。第１の所定レベルと第２の所定レベルのとの差は適宜設定することができる。これにより、標準モードの設定値と寝室モードの専用設定値とが煩雑に切り替わることを効果的に抑制することができる。
なお、寝室モードの専用設定値と標準モードの設定値とを切り替えるための所定のレベルは、上記のようにヒステリシスを持たせることなく、一定のレベルに従って切り替えるようにしてもよい。
【００３４】
また、人の視感度特性は明るさの低下に応じて変化するが、明所視（錐体視）から暗所視（杆体視）に遷移する薄明視の領域においては、全体的に青い光の方に感度がシフトし、プルキンエシフトの名で知られている。
人のプルキンエシフトには個体差があるものの画面の明るさが１０カンデラ前後で発生するので、所定のレベルとしては１０カンデラを目安に設定すると良い。薄明視の領域においては、プルキンエシフトを打ち消して自然な見え方となるようにすることが望ましく、前記設定値はきめ細かなほど良いことは言うまでもない。
【００３５】
また、寝室モードにおける専用設定では、ＯＰＣセンサ１１５による明るさの検出結果に従ってバックライトの発光輝度を変化させる。このとき、周囲の明るさが暗くなるほど、バックライトの発光輝度を低下させるが、バックライトの発光輝度制御特性は特に限定されるものではない。一方、標準モードの設定値では、バックライトの発光輝度は固定させる。もしくは、周囲の明るさに連動してバックライトの発光輝度を変化させるように設定することもできる。
【００３６】
さらに、寝室モードにおける寝室専用設定では、画質の出力特性として、標準モードよりも画像の色温度が低く、画像の輪郭を強調する処理であるシャープネスの度合いが標準モードよりも高くなるように設定されている。また、寝室モードの専用設定では、音質の出力特性として、標準モードよりも音声の高音域の出力の度合いが低く、標準モードよりも音声の低音域の出力の度合いが高く、かつサラウンド機能を有効にする設定がなされている。
もちろん、寝室モードの専用設定における画質・音質の出力特性は、上記の例に限定されることなく、適宜寝室環境に好適な出力特定を設定しておくことができる。
【００３７】
さらに上述のように、液晶テレビが設置された部屋が暗い場合には、電源インジケータなどの各種のインジケータＬＥＤの輝度が強調されて違和感を生じることがあるが、本実施形態の液晶テレビでは、寝室モードが設定され、かつ周囲の明るさが所定レベルより暗いときに、各種のインジケータＬＥＤの明るさを低減させるようにする。
【００３８】
さらに、本実施形態の液晶テレビでは、ＯＰＣセンサ１１５の検出結果により、周囲の明るさが所定レベルより暗くなった場合、液晶テレビの電源をＯＦＦにするためのオフタイマーを自動的に有効にし、オフタイマーにセットされた所定時間が経過したときに、液晶テレビの電源を自動的にオフにさせるようにする。また、このときのオフタイマーにより電源がＯＦＦになるまでの所定時間は、ユーザに設定により設定可能にしておく。
さらに、本実施形態の液晶テレビでは、寝室モードが設定され、かつ周囲の明るさが所定レベルより暗くなった場合、メニューやＥＰＧ，ＣＨコールなどのＯＳＤ表示の文字の大きさを拡大させる。
【００３９】
以下に本実施形態の機能及び動作をさらに具体的に説明する。まず、ＡＶポジションについてより具体的に説明する。上述したように、ＡＶポジションとは、液晶テレビの使用状態や入力信号に応じて設定される出力モードであり、各出力モードごとに、画質、音質、その他各種機能に係る設定値がプリセットされている。そして、ユーザは、使用状態に合わせて任意のＡＶポジションを選択することができる。
【００４０】
ＡＶポジションのとしては、例えば、“店頭モード”、“ゲームモード”、“映画モード”、“ＰＣモード”、“標準モード”などがある。そして本発明に係る実施形態では、寝室の環境に適した“寝室モード”を備えるものとする。
“店頭モード”は、例えば液晶テレビの販売店の店頭における映像表示に好適なモードであり、店頭でインパクトがある画質・音質となるように設定されている。この店頭モードは、くっきり色鮮やかな映像を表示することができ、スポーツ番組などを迫力あふれたものとして視聴することができる。
【００４１】
また、“ゲームモード”は、動きの速い映像に合わせて、映像処理のディレイを低減するモードであり、すばやい反応を要求されるゲームの表示に好適となっている。また、ゲームモードでは、テレビゲームなどの映像を、明るさを抑えて目に優しく表示させるようにしている。
【００４２】
“映画モード”は、映画コンテンツの視聴に適した画質、音質に設定されているもので、リビングなどの明るい環境で映画などの映像を視聴するときに好適な設定となっている。また、“ＰＣモード”は、パソコンの映像に適した画質に設定されたモードである。
“標準モード”は、画質・音声の設定が標準値であることを示すモードである。また、“寝室モード”は、部屋が明るいときには標準的な画質・音質に設定され、部屋が暗いときは、目にやさしい控えめの画質で、高音域を控え目とした音質が設定される。またこのときにインジケータＬＥＤを暗くするように設定される。そして、上記のように寝室モードに設定されていても、周囲の明るさが所定レベル以上であれば、標準モードの設定値を使用して出力特性が制御される。
【００４３】
本実施形態の液晶テレビでは、上記のような複数の出力モードが用意され、ユーザが任意にモード選択を行うことができる。例えば、リモコン装置に用意されたモード選択ボタン（ＡＶポジションボタン）をユーザが押すことにより、液晶テレビの所定位置に現在の出力モードを示すＯＳＤ画面を表示させることができる。そしてモード選択ボタンに対するユーザ操作に従って、順次出力モードを切り替えて設定することができる。
本実施形態では、“寝室モード”は必須に設けられるが、他の出力モード（ＡＶポジション）については設定例を示すものであって、用意する出力モードとその選択手段は、適宜任意の形態を設定することができる。
【００４４】
（寝室モードの説明）
寝室モードは、上述したように、寝室環境に適した画質や音質が設定される専用設定値をもつ。標準的な画質及び音質の標準モードの設定値と、寝室モードの専用設定値とを比較した例を以下に説明する。
まず画質については、標準モードでは、明るい室内で通常視聴に適した画質が設定される。これに対して、寝室モードでは、ＯＰＣセンサ１１５により所定レベルより周囲が暗くなったことを検出した場合、暗い室内で画面が眩しくならないように、明るさを抑えた画質（寝室モードの専用設定）に切り替える。  
【００４５】
次に音質については、標準モードでは、通常視聴に適した標準的な音質が設定される。これに対して寝室モードでは、ＯＰＣセンサ１１５により所定レベルより周囲が暗くなったことを検出した場合、控え目の音質（寝室モードの専用設定）に切り替える。
また、寝室での使用時には音量を低く設定して視聴することが多いので、低音を強く、サラウンド設定をＯＮするように設定している。
このように、寝室モードでは、ＯＰＣセンサ１１５により所定レベルより周囲が暗くなったことを検出した場合に、上記のように寝室モード専用の設定値に切り替えるようにする。ＯＰＣセンサ１１５の検出により周囲の明るさが所定レベルより暗くない場合には、寝室モードに設定されている場合であっても、寝室モードの特徴を発揮する寝室専用設定に移行せず、標準モードの設定により映像・音声を出力する。
【００４６】
次に電源インジケータなどのインジケータＬＥＤに関して、標準モードでは、通常の光量でインジケータＬＥＤを発光させる。これに対して寝室モードでは、ＯＰＣセンサによって周囲が所定レベルより暗くなったことを検出した場合に、インジケータＬＥＤの光量を低下させる。光量の低下レベルは予め定めておくことができる。
【００４７】
さらにオフタイマー機能に関して、標準モードでは、ユーザ操作に応じてオフタイマー機能が設定される。つまり、ユーザがオフタイマー機能をＯＮにする操作を行うことにより、オフタイマー機能が有効となり、所定時間経過後に液晶テレビの電源がＯＦＦになる。所定時間は、適宜ユーザ設定が可能である。
これに対して寝室モードでは、ＯＰＣセンサによって周囲が所定レベルより暗くなったことを検出した場合に、自動的にオフタイマー機能が有効となり、所定時間経過後に液晶テレビの電源がＯＦＦになる。この場合にも所定時間は、予めユーザ設定が可能である。
【００４８】
（寝室モードにおけるパラメータ設定例）
次に寝室モードにおけるパラメータの設定例を説明する。液晶テレビには、画質や音質等を調整するための各種の機能に対してパラメータが設定されている。これらのパラメータの値を変更することによって、そのパラメータの機能に応じた画質や音質を調整することができる。
図２は、寝室モードの画質に関する専用設定値の一例を説明するための図である。
ここでは、液晶テレビの画質を調整するための機能として、バックライト（Backlight）、コントラスト（Contrast）、明るさ（Brightness）、色の濃さ（Color）、色合い（Tint）、シャープネス（Sharpness）、色温度（Color Temp）が設定され、これらの機能の特性をパラメータによって設定可能となっているものとする。また各機能については、調整可能なパラメータの範囲が設定されている。例えば、バックライト（Backlight）では、調整可能なパラメータの範囲として“−１６〜＋１６”が設定されている。この範囲内でパラメータを設定することで、バックライトの発光輝度レベルを調整することができる。なおパラメータを示す数字は、直接に調整レベルを示すものではなく、調整範囲のレベルをパラメータとして表すものである
【００４９】
図２に示すように、寝室モードの専用設定では、標準モードのパラメータに比較して、寝室環境に好適となる画質設定が得られるようなパラメータ設定を行う。具体的には、標準モードではバックライトはＯＰＣに連動せず、＋５のパラメータで固定されるのに対し、寝室モードの専用設定ではＯＰＣに連動してバックライトの発光輝度を制御する。つまりＯＰＣセンサ１１５による周囲の明るさの検出結果に応じて、バックライトの発光輝度を変化させる。この場合、周囲が暗くなる程、バックライトの発光輝度を低下させる制御が行われるが、適用する輝度制御特性はこれに限定されない。
【００５０】
また、寝室モードの専用設定では、標準モードよりもシャープネスの度合いを高くし、映像のエッジを強調するようにする。シャープネスは、画像の輪郭などを強調する処理に関する特性であり、シャープネスのパラメータを高くすると、画像の輪郭部分の階調の差（コントラスト）が高くなり、見た目のシャープ感を増すことができる。
さらに、寝室モードの専用設定では、標準モードよりも色温度を低く設定し、少し赤みを帯びた色の画質とする。これは、先に述べたプルキンエシフトによる視感度特性のずれを補正するためである。
このような特徴によって、寝室環境に好適な画質の調整を行うことができるようにしている。
【００５１】
一方、寝室モードの専用設定では、ＯＰＣセンサ１１５による周囲の明るさの検出結果に応じてバックライトの発光輝度を変化させるため、バックライトが暗くなったときにも映像の品質を損なわないようにする必要がある。例えばＯＰＣセンサ１１５の検出結果にバックライトの発光輝度を連動させると、寝室の暗い室内では、バックライトの発光輝度が常に制御範囲の最低レベルにまで落ちる可能性がある。このような場合にも、映像の暗い部分が暗くなりすぎないようにするため、寝室モードにおける明るさ（Brightness）と色合い（color）を標準モードよりも引き上げて暗い部分の明るさを引き上げ、かつ明るい部分が白くなりすぎないようにバランスを取り映像品質を保つようにしている。
【００５２】
図３は、寝室モードの音質に関する専用設定値の一例を説明するための図である。
ここでは、液晶テレビの音質を調整するための機能として、高音（treble）、低音（Bass）、サラウンド（Surround）、低音エンハンサー（Bass Enhancer）が設定され、これらの機能の特性をパラメータによって設定可能となっているものとする。なお、この場合もパラメータを示す数字は、直接に調整レベルを示すものではなく、調整範囲のレベルをパラメータとして表すものである。
【００５３】
寝室モードの専用設定では、標準モードのパラメータに比較して、寝室環境に好適となる音質設定が得られるようなパラメータ設定を行う。寝室モードの音質に関する専用設定は、標準モードよりも音声の高音域の出力の度合いが低く、標準モードよりも音声の低音域の出力の度合いが高く、かつサラウンド機能を有効にして音声が出力される設定である。具体的には、寝室モードの専用設定では、高音（treble）のレベルを標準モードよりも低くして高音域の音声を抑えるようにし、低音（Bass）のレベルを標準モードよりも高くして低音域の音声を強調させる。また、寝室モードではサラウンド（Surround）をＯＮに設定して、音の広がりを強調させるようにする。
【００５４】
上記のような寝室モードでは、液晶テレビのＡＶポジションが“寝室モード”に設定され、かつ、ＯＰＣセンサ１１５により検出した周囲の明るさが所定レベルより暗くなったときに、すなわち、ＯＰＣセンサ１１５の検出値が寝室モードの明るさレベル設定画面で設定した所定レベル（閾値）より小さくなったときに、寝室モードの専用設定値を反映させて画質調整を行う。そして、ＯＰＣセンサ１１５の検出値が、寝室モードの明るさレベル設定画面で設定した所定レベル以上の場合は、標準モードの設定値を反映させて調整を行う。この所定レベルの値は、ユーザの嗜好に合わせて調整することが可能である。また所定レベルにヒステリシスを持たせることもできる。
【００５５】
（寝室モード時のインジケータＬＥＤについて）
映像表示装置の一実施形態である液晶テレビは、ＡＶポジションとして寝室モードが設定されると、ＯＰＣセンサ１１５による明るさ検出結果に応じて、電源インジケータなどのインジケータＬＥＤを暗くする制御を行う。ここでは、液晶テレビのマイコン１１６は、ＯＰＣセンサ１１５により周囲の明るさを検出し、所定レベルより暗いもの判断したときに、電源、タイマー設定、ＯＰＣ連動などの状態を示すために液晶テレビの前面に配置される各種のインジケータＬＥＤの光量を低下させるように制御する。これにより、インジケータＬＥＤによる発光が暗い室内で強調されないようにして、ユーザによる違和感をなくすようにする。
【００５６】
（ＯＰＣ連動のオフタイマー設定機能について）
映像表示装置の一実施形態である液晶テレビは、ＡＶポジションとして寝室モードが設定されると、ＯＰＣによる明るさ検出結果に応じて、所定時間経過後に液晶テレビの電源をＯＦＦにするオフタイマー機能を有効にする。ここでは、液晶テレビのマイコン１１６は、ＯＰＣセンサ１１５により周囲の明るさを検出し、所定レベルより暗いもの判断したときに、オフタイマー機能を有効にして、オフタイマーのカウントを開始する。そして、寝室モードによる専用設定が有効になった旨を示すＯＳＤ信号を生成し、ディスプレイ表示部１０７に表示させる。電源がオフになるまでの時間は、ユーザによる設定が可能である。このときに、オフタイマー機能を有効にしない、という設定も可能である。
【００５７】
図４は、本発明による映像表示装置の一実施形態において、オフタイマー機能を設定するときの表示画面例を示す図である。上記のようにオフタイマーを有効にしたときに、電源がＯＦＦになるまでの所定時間は予め設定することができる。所定時間の設定は、図４に示すようなオフタイマー設定画面によって行うことができる。この例では、電源がＯＦＦになるまでの時間として、３０分、６０分、９０分、１２０分のいずれが予め設定可能となっている。また、オフタイマーを有効としない“ＯＦＦ”の設定も可能である。
【００５８】
（寝室モードで設定値を切り替えるための明るさ設定画面の説明）
上述したように、本実施形態の液晶テレビでは、ＡＶポジションが寝室モードに設定されているときに、ＯＰＣセンサ１１５による周囲の明るさの検出結果に従って、所定レベルより周囲の明るさが暗くなったときにプリセットされた寝室モード専用の設定値を有効とする。また、周囲の明るさが明るいときには、標準モードの設定値を用いて制御を行うようにしている。ここでは、標準モードの設定値から寝室モードの専用設定値に切り替えるときの明るさレベル（第１の所定レベル）と、寝室モードの専用設定値から標準モードの設定値に切り替えるときの明るさレベル（第２の所定レベル）とを異ならせてヒステリシスを持たせるようにすることができる。
【００５９】
図５は、寝室モードにおいて、寝室モード専用設定に移行するか否かを判定するための明るさレベルを設定するための明るさレベル設定画面の一例を示す図である。
寝室モードを設定する際、ユーザによって寝室の明るさが違うので、寝室モードの専用設定値へ移行するときの周囲の明るさレベルをユーザ自身が調整できるように、図５に示すような設定画面を用意する。
この設定画面では、寝室モードの専用設定に移行する明るさレベル（閾値）を設定するためのバー１１が設けられ、ユーザは、リモコンの矢印キー等の操作によってこのバーの位置を任意に設定することができる。このときに、ＯＰＣによる明るさの制御範囲を表示部１３に示し、ＯＰＣセンサ１１５により検出される現在の周囲の明るさレベル１２を視覚的に認識しやすいように表示する。これにより、ユーザは、ＯＰＣセンサ１１５により検出している現在の明るさのレベルを確認しながら、寝室モードの閾値設定を行うことができる。
【００６０】
液晶テレビでは、このバー１１の位置に応じた明るさレベルを所定レベル（閾値）として設定し、ＯＰＣセンサ１１５による周囲の明るさの検出結果を監視して、設定画面で設定された所定レベルよりも周囲の明るさが暗くなったときに、標準モードの設定値から、寝室モードの専用の設定値に切り替えて制御を行う。
【００６１】
（寝室モード時の文字拡大設定について）
本実施形態の液晶テレビでは、ＡＶポジションが寝室モードに設定され、かつＯＰＣセンサ１１５により検出される周囲の明るさが所定レベルより暗くなったときに、ＯＳＤ表示させる文字の大きさを拡大させる。例えば、就寝前のユーザは、コンタクトレンズやメガネをはずしている場合があり、ユーザは、必ずしも液晶テレビを最適な位置から視聴しているとは限らない
【００６２】
そこで、本発明に係る実施形態では、ＡＶポジションが寝室モードに設定され、かつＯＰＣセンサ１１５により検出される周囲の明るさが所定レベルより暗くなったときに、メニューやＥＰＧ、ＣＨコールなどのＯＳＤ表示を行う場合には、その文字サイズを拡大することにより、ユーザが就寝前のコンディションでも、ＯＳＤ表示を視認しやすくする。また、寝室モードにおけるＯＳＤ表示の文字拡大設定の有効／無効をユーザがユーザメニューにより選択できるようにする。
【００６３】
図６は、本発明の映像表示装置の一実施形態における処理の一例を説明するためのフローチャートで、上記液晶テレビにおけるＡＶポジションの設定処理例を示すものである。
例えば、ユーザが液晶テレビのリモコンを操作して、ＡＶポジションを寝室モードに設定する操作を行った場合に、液晶テレビのマイコン１１６は、ＡＶポジションの内部動作状態を変更し、寝室モードの動作状態に設定する（ステップＳ１）。そして、画質、音質を通常値に設定する（ステップＳ２）。ここでは、ＡＶポジションが寝室モードに設定されても、液晶テレビ周囲の明るさが所定レベル以上であれば、通常モードの設定値を有効にすることを示している。
【００６４】
そして、液晶テレビのマイコン１１６は、ＯＰＣ制御をEnable（動作状態）にし、寝室モードにおける設定値をＯＰＣに連動させる（ステップＳ３）。つまり、ＯＰＣセンサ１１５による検出結果に従って、通常モードの設定値を有効とするか、もしくは寝室モード専用の設定値を使用するかを判定する。次いで液晶テレビでは、寝室モードに変更されたことをＯＳＤにより表示させる（ステップＳ４）。
【００６５】
図７は、本発明の映像表示装置の一実施形態における処理の他の例を説明するためのフローチャートで、上記液晶テレビにおける寝室モード時の動作例を示すものである。本時実施形態の液晶テレビでは、マイコン１１６がＯＰＣセンサ１１５による検出結果（出力値）を一定間隔、例えば１００ｍｓや５００ｍｓ間隔で読み出して、その読み出し結果に応じて処理を行っている。
【００６６】
ここでは、まず、液晶テレビのマイコン１１６は、ＯＰＣセンサ１１５がEnableであれば（ステップＳ１１−ｙｅｓ）、さらにＡＶポジションが寝室モードであるかどうかを判断する（ステップＳ１２）。ＯＰＣセンサ１１５がDisable（非動作状態）であれば処理を終了する。また、ＡＶポジションが寝室モードでなければ、さらに調光値からバックライト演算値を算出する（ステップＳ１３）。ここで調光値とは、ＯＰＣセンサ１１５で検出した周囲の明るさレベルに基づいてバックライトを調光する値である。周囲の明るさと調光値とを定める制御特性は予め定められている。そして、算出したバックライト制御値を用いてバックライトの調光設定を行う（ステップＳ１４）。
【００６７】
この処理は、寝室モードでなくても、ＯＰＣとバックライトとを連動させて制御するモードに適用される。例えば標準モードや他のモードのときに、ＯＰＣとバックライトとを連動させ、周囲の明るさ変化に応じてバックライトの発光輝度を変化させる。
ＯＰＣとバックライトとを連動させない設定であれば、ステップＳ１３〜Ｓ１４はスキップされる。
【００６８】
ステップＳ１２でＡＶポジションが寝室モードであれば、マイコン１１６は、画質・音質が通常値であるかどうかを判別する（ステップＳ１５）。そして画質・音質が通常値であれば、さらにＯＰＣ値が寝室モードの閾値より小さい（ＯＰＣ値＜寝室モード閾値）かどうかを判別する（ステップＳ１６）。ここでＯＰＣ値は、ＯＰＣセンサ１１５により検出される明るさレベルに相当する値で、予め設定される閾値と比較すべき値である。また、通常値は、通常モードで設定された設定値を指す。ここでＯＰＣ値と閾値とを比較することにより、通常モードの設定値から寝室モード専用の設定値に切り替えるかどうかを判断する。
【００６９】
ステップＳ１６でＯＰＣ値＜寝室モード閾値であれば、マイコン１１６は、ＡＶポジションの内部動作状態を変更する（ステップＳ１７）。そして、画質・音質を寝室値、つまり寝室モード専用の設定値に設定する（ステップＳ１８）。次に、マイコン１１６は、オフタイマーのカウントダウンを開始させる（ステップＳ１９）。オフタイマーの時間は、予め図４に示すような画面により設定されている。そして、寝室モードに変更された旨をＯＳＤ表示させ（ステップＳ２０）、さらにインジケータＬＥＤの輝度を低下させる（ステップＳ２１）。
【００７０】
この後は、ステップＳ１３に進み、調光値からバックライト演算値を算出し、算出したバックライト制御値を用いてバックライトの調光設定を行う（ステップＳ１４）。寝室モードの専用設定では、ＯＰＣとバックライトとを連動させて制御する。
【００７１】
また、ステップＳ１６でＯＰＣ値＜寝室モード閾値ではない場合、そのまま標準モードの設定を有効とし、ステップＳ１３に進んで調光値からバックライト演算値を算出し、算出したバックイト制御値を用いてバックライトの調光設定を行う（ステップＳ１４）。
この場合に、標準モードの設定値を有効とする場合にも、ＯＰＣとバックライトを連動させてもよいが、上記図２に示すように、標準モードの設定値ではＯＰＣとバックライトを連動させることなく、バックライトの発光輝度を固定レベルに設定する場合には、ステップＳ１３〜Ｓ１４をスキップする。
【００７２】
一方、ステップＳ１５で画質・音質が通常値でなければ、さらにＯＰＣ値が寝室モードの閾値＋ヒステリシスより大きいかどうかを判別する（ステップＳ１６）。ＯＰＣ値は、上術したようにＯＰＣセンサ１１５により検出される明るさレベルに相当する値で、予め設定される閾値と比較すべき値である。ここでは、寝室モードで通常値が用いられていないことから、周囲の明るさが所定レベルより暗く、寝室モードの専用設定値が有効となっている。このときに、ＯＰＣ値を閾値と比較して、ＯＰＣ値が高く（つまり周囲の明るさが明るく）なったときに通常モードの設定値に切り替えるかどうかを判断するが、この例では、閾値に対して所定のヒステリシスを加えて閾値に上乗せし、その値よりもＯＰＣ値が大きくなったときに、通常モードの設定値に切り替えるようにする。
【００７３】
ステップＳ２２でＯＰＣ値＞寝室モード閾値＋ヒステリシスであれば、マイコン１１６は、ＡＶポジションの内部動作状態を変更する（ステップＳ２３）。そして、画質、音質を通常値、つまり通常モードの設定値に設定する（ステップＳ２４）。次に、マイコン１１６は、オフタイマーのカウントダウンを停止させる（ステップＳ２５）。そして、通常モードに変更された旨をＯＳＤ表示させ（ステップＳ２６）、さらにインジケータＬＥＤの輝度を通常輝度に戻す制御を行う（ステップＳ２７）。
【００７４】
この後は、ステップＳ１３に進み、調光値からバックライト演算値を算出し、算出したバックライト制御値を用いてバックライトの調光設定を行う（ステップＳ１４）。
この例では、寝室モードにおいて、寝室モード専用の設定値から通常モードの設定値に切り替わるときに、閾値にヒステリシスを加えているが、ヒステリシスを用いずに、通常モードの設定もしくは寝室モード専用の設定値のいずれを使用するかを常に一定の閾値によって判断するようにしてもよい。
【００７５】
またこの場合も、標準モードの設定値を有効とするときにＯＰＣとバックライトを連動させてもよいが、ＯＰＣとバックライトを連動させることなくバックライトの発光輝度を固定レベルに設定する場合には、ステップＳ１３〜Ｓ１４をスキップする。
【図面の簡単な説明】
【００７６】
【図１】本発明の映像表示装置の構成例を示すブロック図である。
【図２】寝室モードの画質に関する専用設定値の一例を説明するための図である。
【図３】寝室モードの音質に関する専用設定値の一例を説明するための図である。
【図４】本発明による映像表示装置の一実施形態において、オフタイマー機能を設定するときの表示画面例を示す図である。
【図５】寝室モードにおいて、寝室モード専用設定に移行するか否かを判定するための明るさレベルを設定するための明るさレベル設定画面の一例を示す図である。
【図６】本発明の映像表示装置の一実施形態における処理の一例を説明するためのフローチャートである。
【図７】本発明の映像表示装置の一実施形態における処理の他の例を説明するためのフローチャートである。
【符号の説明】
【００７７】
１１…バー、１２…明るさレベル、１３…表示部、１０１…チューナ部、１０２…復調部、１０３…ＯＳＤ制御部、１０３…制御部、１０４…映像デコーダ、１０５…画質補正部、１０７…ディスプレイ表示部、１０８…音声デコーダ、１０９…音質補正部、１１０…Ｄ／Ａ変換部、１１１…スピーカー、１１２…バックライト制御部、１１４…インジゲータ制御部、１１５…ＯＰＣセンサ、１１５…ＯＰＣセンサ、１１６…マイコン、１１８…ＲＴＣ。
【図１】
2010068260.tif 000003
【図２】
2010068260.tif 000004
【図３】
2010068260.tif 000005
【図４】
2010068260.tif 000006
【図５】
2010068260.tif 000007
【図６】
2010068260.tif 000008
【図７】
2010068260.tif 000009